(57)【要約】【課題】乾式による仮設的な床を容易に構築できる床パネルを提供するとともに、この床パネルを用いた床構造、床構造施工方法および床構造再利用方法を提供する。【解決手段】床パネル１は、建物８の大梁８１に取り付けられる。この床パネル１は、対向配置される２本の小梁部材２と、上記小梁部材２の端側および中央側に設けられて当該小梁部材２同士を連結する連結部材３と、水平ブレース４と、上記小梁部材２と上記水平ブレース４とを取り合う取付板部５と、上記小梁部材２の端部に位置し上記大梁８１側に接合される接合部１１と、を備えている。【選択図】図３
2018162607.tif 000002
【特許請求の範囲】
【請求項１】
建物の躯体に取り付けられる床パネルであって、
対向配置される２本の小梁部材と、
少なくとも上記小梁部材の端側に設けられて当該小梁部材同士を連結する連結部材と、
水平ブレースと、
上記小梁部材と上記水平ブレースとを取り合う取付板部と、
上記小梁部材の端部に位置し上記躯体側に接合される接合部と、を備えていることを特徴とする床パネル。
【請求項２】
請求項１に記載の床パネルにおいて、上記取付板部は水平板部と縦板部とを備えており、上記水平板部に上記水平ブレースが取り付けられ、上記縦板部に上記連結部材が固定されていることを特徴とする床パネル。
【請求項３】
請求項１または請求項２に記載の床パネルにおいて、上記２本の小梁部材は、上下に位置する対向板部とこれら対向板部を繋ぐ繋ぎ板部を有する溝形鋼からなり、互いの開口側を向かい合わせていることを特徴とする床パネル。
【請求項４】
請求項３に記載の床パネルにおいて、上記溝形鋼の上記対向板部の間に上記取付板部が固定されていることを特徴とする床パネル。
【請求項５】
請求項３または請求項４に記載の床パネルにおいて、上記溝形鋼の上記繋ぎ板部が上記接合部をなしており、当該接合部には水平方向に締結部材を通す挿通孔が形成されていることを特徴とする床パネル。
【請求項６】
請求項５に記載の床パネルが建物の躯体に取り付けられる床構造であって、上記躯体には縦面部を有する支持板が固定されており、この支持板の上記縦面部には水平方向に締結部材を通す挿通孔が形成されており、隣り合って配置される２枚の床パネルが、上記接合部の挿通孔および上記支持板の挿通孔に通された上記締結部材によって上記躯体に固定されていることを特徴とする床構造。
【請求項７】
請求項６に記載の床構造を構築する床構造施工方法であって、上記床パネルが、工場で作製されて建築現場に搬送され、上記建物の躯体に支持されることを特徴とする床構造施工方法。
【請求項８】
請求項６に記載の床構造を再利用して建物の上階床を構築する床構造再利用方法であって、上記床構造における上記床パネル上に既に設けられている波板状プレートにコンクリートを打設してコンクリート床を作製することを特徴とする床構造再利用方法。
【請求項９】
請求項６に記載の床構造を再利用して建物の１階部を構築する床構造再利用方法であって、上記床構造における上記躯体としての大梁をコンクリート内に埋設して基礎梁を作製することを特徴とする床構造再利用方法。
【発明の詳細な説明】
【技術分野】
【０００１】
この発明は、建物の床に用いられる床パネル、床構造、床構造施工方法および床構造再利用方法に関する。
【背景技術】
【０００２】
特許文献１には、床荷重を受ける一対の平行な梁材と、その梁材間を連結する小断面の連結材と、それら梁材と連結材によって囲まれる空間に配置したブレース材からなる第１の床フレームと、一対のブレース材を斜辺とする三角形状の第２の床フレームとからなり、上記第１の複数の床フレームを桁梁方向に、その梁材が桁梁と直交方向となるようにして間隔を置いて配置するとともに、各第１の床フレーム間に上記第２の床フレームを配置する構造が開示されている。
【０００３】
また、特許文献２には、内向きの溝形鋼からなる一対の平行な長辺フレーム材およびこれら長辺フレーム材間に接合した複数本の短辺フレーム材からなる鋼製のパネルフレームと、上記鋼製パネルフレーム上に長辺に沿って設置された複数本の平行な木製の根太と、この根太上に設けられた床板とを備え、上記長辺フレーム材は建物躯体の梁または胴差となる床パネルが開示されている。
【０００４】
また、特許文献３には、ブレースをパネルフレームに組み付けたブレースパネルを用い、これを建物に組み付けることで建物にブレースを備えさせる、建物におけるブレースの取付け構造において、上記ブレースパネルのブレースの両端部に、ジョイント用金物が備えられ、該ジョイント用金物が、建物の柱及び／又は横架材に接合され、ブレースにかかる力がジョイント用金物を通じて柱及び／又は横架材に直接伝えられる構造が開示されている。
【０００５】
上記特許文献１は、共通構造の床パネルを横に並べることができる床構造にはなっていない。上記特許文献２は仮設的な建物とすることには向かない。また、特許文献３は、床をパネル化する思想を開示しないし、また、パネルフレームと梁とが直接的に接合される構造となっている。
【先行技術文献】
【特許文献】
【０００６】
【特許文献１】特開平５−２９５８２８号公報
【特許文献２】特開平９−４１５３３号公報
【特許文献３】特開２００５−２８２１４４号公報
【発明の概要】
【発明が解決しようとする課題】
【０００７】
ここで、例えば、期間限定のイベント等で使用される建物を仮設し、また移設する等して最終的に、本格的な建て方(本設)で建物を建てることを考える。しかしながら、上記のどの引用文献も、このような考えにおいて有用となるものではない。
【０００８】
この発明は、上記の事情に鑑み、乾式による仮設的な床を容易に構築できる床パネルを提供するとともに、この床パネルを用いた床構造、床構造施工方法および床構造再利用方法を提供することを課題とする。
【課題を解決するための手段】
【０００９】
この発明の床パネルは、建物の躯体に取り付けられる床パネルであって、対向配置される２本の小梁部材と、少なくとも上記小梁部材の端側に設けられて当該小梁部材同士を連結する連結部材と、水平ブレースと、上記小梁部材と上記水平ブレースとを取り合う取付板部と、上記小梁部材の端部に位置し上記躯体側に接合される接合部と、を備えていることを特徴とする。
【００１０】
上記の構成であれば、上記小梁部材はこれ自体では小梁として必要な剛性を有する必要がなく、２枚の床パネルが隣り合って配置されるときに隣り合う２本の小梁部材によって必要な剛性を有する小梁をなすことができ、同じ構造の床パネルを並べて取り付けることができるので、容易に床を構築することができる。
【００１１】
上記取付板部は水平板部と縦板部とを備えており、上記水平板部に上記水平ブレースが取り付けられ、上記縦板部に上記連結部材が固定されていてもよい。これによれば、上記水平ブレースにかかる水平荷重を、上記小梁部材(小梁)に効率よく伝達することができる。
【００１２】
上記２本の小梁部材は、上下に位置する対向板部とこれら対向板部を繋ぐ繋ぎ板部を有する溝形鋼からなり、互いの開口側を向かい合わせていてもよい。
【００１３】
また、上記溝形鋼の上記対向板部の間に上記取付板部が設けられていてもよい。これによれば、上記溝形鋼の下側の対向板部と上記取付板部との間に空間部が形成され、この空間部を利用して配管等を配置することができるようになる。
【００１４】
また、上記溝形鋼の上記繋ぎ板部が上記接合部をなしており、当該接合部には水平方向に締結部材を通す挿通孔が形成されていてもよい。
【００１５】
そして、このような構造の床パネルを建物の大梁に取り付ける本発明にかかる床構造においては、上記躯体には縦面部を有する支持板が固定されており、この支持板の上記縦面部には水平方向に締結部材を通す挿通孔が形成されており、隣り合って配置される２枚の床パネルが、上記接合部の挿通孔および上記支持板の挿通孔に通された上記締結部材によって上記躯体に固定されていることを特徴とする。
【００１６】
上記の構成であれば、隣り合うように配置した床パネルを、上記締結部材を上記支持板とその両隣の支持板に水平に縫うように取り付けることで、これら床パネルと躯体とを相互に固定することが短時間で行えるようになる。
【００１７】
また、この発明の床構造施工方法は、上記床構造を構築する床構造施工方法であって、上記床パネルが、工場で作製されて建築現場に搬送され、上記建物の躯体に支持されることを特徴とする。かかる方法であれば、上記床パネルが工場で作製されるので、設計通りの寸法が確保された床パネルを現場建物の躯体に的確に組み付けていくことができる。
【００１８】
また、この発明の床構造再利用方法は、上記の床構造を再利用して建物の上階床を構築する床構造再利用方法であって、上記床構造における上記床パネル上に既に設けられている波板状プレートにコンクリートを打設してコンクリート床を作製することを特徴とする。かかる方法であれば、上記床パネル上に既に設けられている上記波板状プレートを活用してコンクリート床を作製することが可能になる。
【００１９】
また、この発明の床構造再利用方法は、上記の床構造を再利用して建物の１階部を構築する床構造再利用方法であって、上記床構造における上記躯体としての大梁をコンクリート内に埋設して基礎梁を作製することを特徴とする。かかる方法であれば、上記大梁を活用して基礎梁を作製することが可能になる。
【発明の効果】
【００２０】
本発明であれば、乾式による床を容易に構築できる等の諸効果を奏する。
【図面の簡単な説明】
【００２１】
【図１】実施形態を示す図であって、広幅タイプの床パネルを示した平面図である。
【図２】実施形態を示す図であって、狭幅タイプの床パネルを示した平面図である。
【図３】図１および図２の床パネルを用いた実施形態の床構造を示した概略の斜視図である。
【図４】図１の床パネルにおける小梁部材、取付板部等を示した説明図である。
【図５】図１の床パネルにおける小梁部材、取付板部等を示した説明図である。
【図６】図１の床パネルを用いた床構造における小梁部材、大梁、支持板、ボルト等を示した説明図である。
【図７】実施形態を示す図であって、図６の床構造の再利用方法を示した説明図である。
【図８】実施形態を示す図であって、図６の床構造の他の再利用方法を示した説明図である。
【発明を実施するための形態】
【００２２】
以下、この発明の一態様に係る実施形態を添付図面に基づいて説明する。図１、図２および図３に示すように、この実施形態の床パネル１、１Ａは、建物８の大梁８１に取り付けることができる。また、大梁８１同士が互いに接合されており、柱８５が大梁８１の上フランジに接合される。なお、本出願において、大梁というときには胴差が含まれるものとする。
【００２３】
上記床パネル１は、距離をおいて対向配置される２本の小梁部材２と、上記小梁部材２の端側および中央部に各々設けられて上記小梁部材２同士を連結する連結部材３と、水平ブレース４と、上記小梁部材２と上記水平ブレース４とを取り合うとともに、上記小梁部材２と上記連結部材３とを互いに固定する取付板部５、５Ａと、備えている。ここで、乾式床を構成するためには、水平荷重を伝達できる機構が必要になり、部材点数が増え、施工の手間が多くなるという課題があり、この実施形態では、この点についても解決を図る。
【００２４】
上記床パネル１の幅は、例えば２ｍとされ、上記床パネル１の幅は、例えば１ｍとされている。また、この実施形態における上記床パネル１には、図示しない天井吊りボルトが取り付けられる吊りボルト支持部材６が中央側において上記小梁部材２と平行に設けられている。
【００２５】
上記床パネル１、１Ａにおいては、各小梁部材２は、上下に位置する対向板部２ａとこれら対向板部２ａを繋ぐ繋ぎ板部２ｂを有する溝形鋼からなり、互いの開口側を向かい合わせている。２枚の床パネル１が隣り合って配置されるときの隣り合う小梁部材２、２は、図４および図５にも示すように、上記繋ぎ板部２ｂ側を接近させて背中合わせに位置する。
【００２６】
上記取付板部５は、上記小梁部材２の長手方向中央側に設けられており、上記取付板部５Ａは上記小梁部材２の端側に設けられている。各取付板部５、５Ａは、水平板部５ａと縦板部５ｂとを備えており、上記水平板部５ａに上記水平ブレース４の端部がボルト等によって取り付けられる。また、上記縦板部５ｂには水平方向にボルト挿通孔５ｃが２個水平並びに形成されている。上記ボルト挿通孔５ｃおよび上記連結部材３にボルト３１が挿通され、このボルト３１にナットが螺合されることで、上記取付板部５、５Ａに上記連結部材３が固定される。
【００２７】
上記水平板部５ａと縦板部５ｂとは溶接によって互いに固定されており、また、上記繋ぎ板部２ｂに接する側において溶接により当該繋ぎ板部２ｂに固定されている。また、上記縦板部５ｂの上側辺は、上側の対向板部２ａに接し、溶接によって固定されている。そして、上記溝形鋼の上記対向板部２ａの間の箇所において上記繋ぎ板部２ｂに上記取付板部５が固定されている。すなわち、上記水平板部５ａは下側の対向板部２ａから上側に離間しており、これら水平板部５ａと下側の対向板部２ａとの間に空間部が形成されている。
【００２８】
上記連結部材３は、例えば、上下に位置するリップ付き対向板部とこれらリップ付き対向板部を繋ぐ繋ぎ板部を有するリップ溝形鋼（Ｃチャンネル）からなる。上記連結部材３は、上記小梁部材２の端側においては１本設けられており、中央側の位置においては、２本背中合わせにして設けられている。各連結部材３の両端部には、上記リップ溝形鋼における繋ぎ板部の箇所において、水平方向にボルト挿通孔が２箇所水平並びに形成されている。このボルト挿通孔および上記取付板部５の上記ボルト挿通孔５ｃを縫うようにして上記ボルト３１が挿通される。各端側の１本の連結部材３と上記中央側の２本の連結部材３のうち当該端側に近い側の連結部材３は互いの開口側を向かい合わせるように配置されている。
【００２９】
また、上記小梁部材２の端側に設けられる上記連結部材３は、上記小梁部材２の端面から例えば８０ｍｍ程度離れて設けられるようにしており、上記床パネル１を大梁８１側に取り付けるときに、この大梁８１の縁と上記連結部材３との間に上記離間による作業隙間が形成されるようにしている。作業者は、上記床パネル１の上から上記作業隙間に手を入れてボルト取り付け等の作業をすることができる。
【００３０】
そして、上記床パネル１においては、上記連結部材３の中央側において、Ｌアングル６１の一方の面部が溶接により固定されている。他方の面部は上記連結部材３の長手方向と直交する方向に立ち上がっている。この他方の面部にはボルト挿通孔が２か所に形成されている。上記吊りボルト支持部材６の各端部にもボルト挿通孔が２箇所形成されており、これらボルト挿通孔に通されたボルト６２にナットが螺合されることで、上記連結部材３に上記吊りボルト支持部材６が固定される。この吊りボルト支持部材６としてもリップ溝形鋼（Ｃチャンネル）を用いることができる。
【００３１】
上記床パネル１、１Ａにおける各小梁部材２の上記取付板部５Ａの配置箇所よりもさらに端となる箇所であって、上記溝形鋼における上記繋ぎ板部２ｂの箇所が、上記大梁８１側に接合される接合部１１とされる。すなわち、上記大梁８１の縁と上記連結部材３との間の上記作業隙間から上記接合部１１にアクセスすることができるようにしている。上記接合部１１には、図６に示すように、ボルト（締結部材）１０１が水平に挿通されるボルト挿通孔１１ａが縦に２箇所形成されている。
【００３２】
上記構成の床パネル１、１Ａであれば、上記小梁部材２はこれ自体では小梁として必要な剛性を有する必要がなく、２枚の床パネル１、１（１、１Ａ）（１Ａ、１Ａ）が隣り合って配置されるときに隣り合う２本の小梁部材２によって必要な剛性を有する小梁をなすことができ、同じ構造の床パネル１、１Ａを並べて取り付けることが可能になるので、容易に床を構築できる。
【００３３】
上記取付板部５が水平板部５ａと縦板部５ｂとを備えており、上記水平板部５ａに上記水平ブレース４が取り付けられ、上記縦板部５ｂに上記連結部材３が固定されるようにしておくと、上記水平ブレース４にかかる水平荷重を、上記小梁部材２(小梁)に効率よく伝達することができる。
【００３４】
また、上記溝形鋼の対向板部２ａの間で上記繋ぎ板部２ｂに上記取付板部５の上記水平板部５ａが固定されていると、上記溝形鋼の下側の対向板部２ａと上記取付板部５との間に空間部が形成され、この空間部を利用して配管等を配置することができるようになる。また、上記水平板部５ａが上記繋ぎ板部２ｂの上下方向の中間側に設けられるほうが、上記水平ブレース４にかかる水平荷重を受けることにおいて好ましいといえる。なお、上記溝形鋼の下側の対向板部２ａに上記水平ブレース４を固定する構造を採用することもできる。
【００３５】
そして、この実施形態の床構造は、上記床パネル１、１Ａが建物８の大梁８１に取り付けられる床構造であり、上記大梁８１には当該大梁８１の長手方向に直交する縦面部を有する方形板状の支持板８２が固定されている。この例では、上記大梁８１はＨ形鋼で構成されており、上記支持板８２の一部位は、上記大梁８１の上フランジ部と下フランジ部の間に位置し、これら上フランジ部、下フランジ部およびウェブ部に溶接固定されている。上記支持板８２の他の部位は、上記大梁８１の縁よりもパネル設置側に突出している。
【００３６】
上記支持板８２の突出する箇所の上記縦面部には、上記ボルト１０１が水平方向に挿通されるボルト挿通孔８２ａが縦に２箇所形成されている。そして、隣り合って配置される２枚の床パネル１、１Ａが、上記接合部１１のボルト挿通孔１１ａおよび上記支持板８２のボルト挿通孔８２ａに縫うように通された上記ボルト１０１およびこれに螺合されるナット１０２によって、上記大梁８１側に固定されている。なお、上記小梁部材２の高さは上記大梁８１の高さ（梁せい）よりも低いが、上記固定された状態において、上記小梁部材２の上面と上記大梁８１の上面とが略面一となるようにしている。
【００３７】
また、上記支持板８２の上記突出する箇所の上記面部両側の下部位置には、仮置き部８３が溶接或いはボルト・ナット締結によって固定されている。上記仮置き部８３に上記床パネル１、１Ａを仮置きすることができ、この仮置いた状態で、上記接合部１１のボルト挿通孔１１ａと上記支持板８２のボルト挿通孔８２ａとがほぼ同じ位置に位置する。
【００３８】
上記構成の床構造であれば、上記ボルト１０１を上記支持板８２とその両隣の上記接合部１１のボルト挿通孔１１ａに水平に縫うように取り付けることで、隣り合うように配置された床パネル１、１Ａおよび大梁８１を相互に固定することができる。
【００３９】
そして、この実施形態の床構造施工方法においては、上記床パネル１、１Ａが、工場で作製されて上記建物８の建築現場に搬送され、クレーン等によって吊り上げられて、上記建物８の大梁８１に上記支持板８２を介して支持される。かかる方法であれば、上記床パネル１、１Ａが工場で作製されるので、設計通りの寸法が確保された床パネル１、１Ａを現場において的確に組み付けていくことができる。
【００４０】
また、上記建築現場に搬送された上記床パネル１、１Ａを上記支持板８２に設けられている上記仮置き部８３に仮置きすると、上記仮置きによってクレーン等を次の床パネルの吊り上げに直ぐに利用できるようになるので、効率的な施工が行える。
【００４１】
上記床パネル１、１Ａが工場で作製されて出荷される段階で、上記小梁部材２や上記連結部材３に、デッキプレート或いはハット型のプレート等の波板状プレートが、ビス留め或いは溶接等によって事前に固定されてもよい。上記波板状プレートの幅は、上記床パネル１、１Ａにおける上記小梁部材２の外側縁間よりも狭くし、上記床パネル１、１Ａと大梁８１との間の上記作業隙間を塞がないようにする。さらには、上記床パネル１、１Ａが工場で作製されて出荷される段階で、上記波板状プレート上にボードがビス留め等によって事前に固定されていてもよい。もちろん、上記波板状プレートやボードが現場施工によって取り付けられてもよい。なお、上記作業隙間において手作業で上記支持板８２や上記接合部１１において上記ボルト１０１の取り付けが行われるので、この取付作業の前においては、上記床パネル１、１Ａと大梁８１との間には上記波板状プレート等を設けず、取付作業の後において、上記床パネル１、１Ａと大梁８１との隙間を埋める波板状プレートを設ける。
【００４２】
また、上記床パネル１、１Ａ上に波板状プレートが設けられていると、作業者は上記波板状プレート上に載って締結作業等を容易且つ安全に行うことができる。
【００４３】
また、上記の例では、上記床パネル１、１Ａが取り付けられる建物の躯体として大梁８１を示したが、大梁に限らず、躯体である柱に上記床パネル１、１Ａが取り付けられるようにしてもよい。
【００４４】
次に、上記の床構造を再利用して建物の上階床を構築する床構造再利用方法について説明する。図７に示すように、仮設の建物８においては、乾式床として、波板状プレート１１０上に床ボード１１１がビス留め等によって固定される。そして、建物８の移設前或いは移設後に、上記床ボード１１１を取り外す。そして、移設後において、上記床パネル１、１Ａ上に既に設けられている上記波板状プレート１１０にコンクリート１１２を打設してコンクリート床を作製する。
【００４５】
次に、上記の床構造を再利用して建物の１階部を構築する床構造再利用方法について説明する。図８に示すように、仮設の建物８においては、乾式床として、波板状プレート１１０上に床ボード１１１がビス留め等によって固定されている。そして、建物８の移設前或いは移設後に、上記床パネル１、１Ａを取り外す。そして、上記大梁８１をコンクリート１２０内に埋設して基礎梁を作製する。
【００４６】
なお、上記床パネル１、１Ａを大梁８１から取り外すことにおいては、上記ボルト１０１とナット１０２の取り外し操作で済むので、上記大梁８１に損傷を与えることがない。また、上記仮置き部８３が設けられていると、上記床パネル１、１Ａを取り外す作業も容易になる。
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４７】
１      ：床パネル
１Ａ    ：床パネル
２      ：小梁部材
２ａ    ：対向板部
２ｂ    ：繋ぎ板部
３      ：連結部材
４      ：水平ブレース
５      ：取付板部
５Ａ    ：取付板部
５ａ    ：水平板部
５ｂ    ：縦板部
５ｃ    ：ボルト挿通孔
６      ：吊りボルト支持部材
８      ：建物
１１    ：接合部
１１ａ  ：ボルト挿通孔
３１    ：ボルト
６１    ：Ｌアングル
６２    ：ボルト
８１    ：大梁
８２    ：支持板
８２ａ  ：ボルト挿通孔（締結部材を通す挿通孔）
８３    ：仮置き部
１０１  ：ボルト（締結部材）
１０２  ：ナット（締結部材）
１１０  ：波板状プレート
１１１  ：床ボード
１１２  ：コンクリート
１２０  ：コンクリート
【図１】
2018162607.tif 000003
【図２】
2018162607.tif 000004
【図３】
2018162607.tif 000005
【図４】
2018162607.tif 000006
【図５】
2018162607.tif 000007
【図６】
2018162607.tif 000008
【図７】
2018162607.tif 000009
【図８】
2018162607.tif 000010